(57)【特許請求の範囲】
【請求項１】
裏面が床スラブ面と向き合わされて側縁部が上下階を貫通するように床スラブに形成された貫通孔に建て込まれた竪配管を設置するためのパイプスペースを囲むように設置された床パネルと、床パネルの側縁部に取付けられて床パネルの側縁部から床スラブ面側に延長するとともに側縁部の端面に沿って延長してパイプスペースを囲む補強部と、補強部の下端面と床スラブ面との間に介在されて補強部を床スラブ面に支持させる床スラブ側緩衝部と、床パネルの側縁部の表面に側縁部の端面に沿って延長してパイプスペースを囲むように設けられた壁下地取付部とを備えたことを特徴とする床下地構成体。
【請求項２】
壁下地取付部は、間柱の下端を設置するためのランナーであることを特徴とする請求項１に記載の床下地構成体。
【発明の詳細な説明】
【技術分野】
【０００１】
本発明は、設備設置部回りの二重床を構成する床下地構成体に関する。
【背景技術】
【０００２】
集合住宅において、給排水設備としてのパイプ（竪配管）を設置するためのパイプスペースのような設備設置部を区画して設けることが知られている。二重床構成の場合、パイプスペースは、一般的に、壁先行施工と呼ばれる施工方法で形成される。即ち、床スラブに上下階を貫通する貫通孔を形成して、この貫通孔にパイプを建て込んだ後に、パイプスペースを区画するための壁を床スラブ面に設置し、パイプスペース外の床スラブ面に複数の支持脚を配置して支持脚の上に床パネルを設置することにより二重床を形成する（例えば、特許文献１等参照）。
【特許文献１】特開平１１−２２９４９１号公報
【発明の開示】
【発明が解決しようとする課題】
【０００３】
しかしながら、設備設置部の区画を、壁先行で施工する場合、床スラブに、壁下地としての間柱の下端を設置するための金属製のランナーを取付ける必要がある。この床スラブにランナーを取付ける作業は、軽鉄を扱う専門の施工技術者が鋲打ち銃のような専用の機械を用いて行わなくてはならず、施工コストが嵩む。また、壁先行施工の場合、設備設置部を区画する区画壁の周囲に位置する床パネルの強度を上げるために、区画壁の壁際に沿って床パネルを支持する際根太と呼ばれるような部材を上部に備えた支持脚を用いて床パネルを支持する必要がある。この際根太と呼ばれるような部材を上部に備えた支持脚はコストが高く、床下地構造の部材コストが嵩む。即ち、壁先行施工によって設備設置部を区画する場合、コストが嵩むという課題があった。
本発明は、上記課題に鑑みてなされたもので、設備設置部を区画する場合の施工コスト及び床下地構造の部材コストを安価にできる床下地構成体を提供する。
【課題を解決するための手段】
【０００４】
本発明の床下地構成体は、裏面が床スラブ面と向き合わされて側縁部が上下階を貫通するように床スラブに形成された貫通孔に建て込まれた竪配管を設置するためのパイプスペースを囲むように設置された床パネルと、床パネルの側縁部に取付けられて床パネルの側縁部から床スラブ面側に延長するとともに側縁部の端面に沿って延長してパイプスペースを囲む補強部と、補強部の下端面と床スラブ面との間に介在されて補強部を床スラブ面に支持させる床スラブ側緩衝部と、床パネルの側縁部の表面に側縁部の端面に沿って延長してパイプスペースを囲むように設けられた壁下地取付部とを備えたことを特徴とする。
壁下地取付部は、間柱の下端を設置するためのランナーであることも特徴とする。
【発明の効果】
【０００５】
本発明の床下地構成体によれば、補強部を備えたので、設備設置部の周囲に位置する床パネルの側縁部の強度を上げるために際根太と呼ばれる部材を上部に備えた支持脚を用いずとも、設備設置部の周囲に位置する床パネルの側縁部の強度が上がるため、床下地構造の部材コストを安価にできるとともに、壁下地取付部を床スラブに取付ける作業をなくすことができるので、施工コストを安価にできる。即ち、設備設置部を区画する場合の施工コスト及び床下地構造の部材コストを安価にできる。また、床スラブ側緩衝部を備えたので、床スラブ面の不陸を吸収できて、補強部を床スラブ面で安定に支持できるとともに、補強部の下端面と床スラブ面との衝突音の発生を防止できて、衝突音の階下への伝播を防止できるとともに、設備設置部から放射される音が床下空間に漏れるのを防止できるので、防音性能を向上できる。また、床パネルの側縁部の表面に壁下地取付部を備えたので、壁下地取付部を床スラブに取付ける作業をなくすことができて、壁下地取付部の取付作業を容易にできるので、施工コストを安価にできる。
壁下地取付部は、間柱の下端を設置するためのランナーであるので、ランナーを床スラブに取付ける作業をなくすことができるので、施工コストを安価にできる。
【発明を実施するための最良の形態】
【０００６】
最良の形態１
最良の形態１では、設備設置部としてのパイプスペースが戸境壁と隣り合うように設けられる場合の床下地構造の構成を例にして説明する。図１乃至図７は最良の形態１を示し、図１はパイプスペースと床下地構造とを断面で示し、図２はパイプスペースと二重床とを断面で示し、図３乃至図６はパイプスペース及びパイプスペース回りの床下地構造の施工手順を平面で示し、図７は床下地構成体を示す。
【０００７】
図１に示すように、床下地構造１は、床下地構成体１００と、支持脚２と、床スラブ１２Ａとにより構成される。
図１；図７に示すように、床下地構成体１００は、床パネル３と、補強部４と、床スラブ側緩衝部５と、壁際緩衝部６と、壁下地取付部としてのランナー７とを備える。
【０００８】
床パネル３は、複数の板材を積層した積層板材、あるいは、単板材により形成される。例えば、図１；２に示すパーティクルボードなどの下側床パネル３８と合板（ベニヤ板）などの上側床パネル３９とを積層した積層板材、あるいは、パーティクルボードや合板などの単板により形成される。床パネル３は、裏面３１が床スラブ面１２と向き合わされて表面３２が水平面となり、かつ、側縁部３３の端面３４がパイプスペース１０を囲むように設置される。このパイプスペース１０を囲むように設置される床パネル３は、１枚又は複数枚の床パネル３により形成される。即ち、パイプスペース１０を囲む側縁部３３の端面３４により形成された凹部３５は、床パネル３の一部が切り欠かれて形成されたり、複数枚の床パネル３が組み合わされて形成される。
【０００９】
補強部４は、パーティクルボードや合板のような板材により形成される。補強部４は、床パネル３の側縁部３３の裏面３１に側縁部３３の端面３４に沿って延長して、床パネル３と床スラブ面１２との間の形成されるパイプスペース１０を囲むように設置される。例えば、補強部４の上端部４１と床パネル３の側縁部３３とが、釘、ビス、ステープル、接着剤のうちの１つあるいは２つ以上の併用によって、互いに強固に一体化するように取付けられる。この場合、図１に示すように、床パネル３の側縁部３３の裏面３１と補強部４の上端部４１の上端面４３とが互いに連結された構成としてもよいし、図示しないが床パネル３の側縁部３３の端面３４と補強部４の上端部４１の側面４２とが互いに連結された構成としてもよい。前者のように、床パネル３の側縁部３３の裏面３１が補強部４の上端面４３の上に位置された状態で補強部４の上端部４１と床パネル３の側縁部３３とが互いに連結された構成とすれば、床パネル３の側縁部３３を補強部４で下から支持するような床下地構造１を形成できるので、パイプスペース１０の周囲に位置する床パネル３の剛性をより高めることができて好ましい。
【００１０】
床スラブ側緩衝部５は、ロックフェルトのようなクッション材により形成される。床スラブ側緩衝部５は、補強部４の下端面４５と床スラブ面１２との間に介在されて補強部４を床スラブ面１２に支持させるために、例えば、補強部４の下端面４５に取付けられる。これにより、補強部４の下端面４５が床スラブ側緩衝部５を介して床スラブ面１２に設置されるので、床スラブ面１２の不陸を吸収できて、補強部４を床スラブ面１２で安定に支持できるとともに、補強部４の下端面４５と床スラブ面１２との衝突音の発生を防止できて、衝突音の階下への伝播を防止できるとともに、パイプスペース１０に設置された後述するパイプ１５から放射される音が床下空間９８に漏れるのを防止できるので、防音性能を向上できる。
【００１１】
壁際緩衝部６は、ロックフェルトのようなクッション材により形成される。壁際緩衝部６は、例えば、戸境壁１１と近い補強部４の壁際端面４６及び床パネル３の壁際端面３６に取付けられる。これにより、戸境壁１１と補強部４の壁際端面４６及び床パネル３の壁際端面３６との衝突音や擦れ音の発生を防止できて、隣戸への音の伝播を防止できるとともに、パイプスペース１０に設置されたパイプ１５から放射される音が床下空間９８に漏れるのを防止できるので、防音性能を向上できる。
【００１２】
ランナー７は、長尺な底板７１と底板７１の幅方向の両側縁より一方向に延長する一対の相対峙した側板７２；７２とを備えた断面凹形状の例えば金属製の長尺材により形成される。ランナー７は、互いに平行に対向する一対の側板７２と側板７２との間で形成された開口７３が上を向くように配置されて、底板７１が床パネル３の側縁部３３の表面３２（上面）に図外のビスやねじなどの固定具によって固定される。ランナー７は、床パネル３の側縁部３３の端面３４に沿って延長してパイプスペース１０を囲むように設けられる。ランナー７の端部７４と戸境壁１１とが離される。
【００１３】
支持脚２は、床スラブ面１２に設置される防振ゴム２１と、下部が防振ゴム２１に取付けられて防振ゴム２１に支持される例えば金属製の支柱２２と、支柱２２の上端部に設けられた台座２３とを備える。支柱２２の上部の外周面は図外の雄ねじ部に形成される。台座２３は、例えばパーティクルボードや合板などで形成される。台座２３は、台座２３の上下面に貫通する図外の貫通孔を備え、この貫通孔内には上下に貫通する図外の金属製の筒が固定状態に設けられ、この筒の内周面は図外の雌ねじ部に形成される。つまり、支持脚２は、雄ねじ部の雄ねじと雌ねじ部の雌ねじとのねじ嵌合により台座２３が支柱２２に対して上下に移動可能に構成され、台座２３の高さを調整可能である。床スラブ面１２に設置される支持脚２の台座２３と床パネル３とが釘などの図外の固定具によって互いに連結される。床パネル３が複数の支持脚２によって床スラブ面１２に支持される。
【００１４】
図３乃至図６、及び、図２を参照し、床下地構造１の施工方法を説明する。図３に示すように、床スラブ１２Ａが施工された後に、床スラブ１２Ａに給排水設備配管としてのパイプ（竪配管）１５を建て込むための上下貫通孔１６が形成される。パイプ１５が建て込まれる位置の横に位置する戸境壁１１の壁面１１ａに石膏ボードのような隙間塞ぎボード５０が床スラブ面１２から図外の天井側に延長するように取付けられる。図３；４に示すように、床パネル３の側縁部３３の端面３４及び補強部４と隙間塞ぎボード５０の側端面５１との間にはロックフェルトのような緩衝材５２が介在するように設けられる。緩衝材５２は図３に示すように例えば隙間塞ぎボード５０の側端面５１に取付けられる。この緩衝材５２により、床パネル３の側縁部３３の端面３４及び補強部４と隙間塞ぎボード５０の側端面５１との衝突音や擦れ音の発生を防止できるとともに、パイプ１５から放射される音が床下空間９８に漏れるのを防止できるので、防音性能を向上できる。図４に示すように、上下貫通孔１６にパイプ１５が建て込まれ、床スラブ面１２に支持脚２が設置される。上下貫通孔１６の内壁面とパイプ１５の外周面との間にはロックウール５５のような隙間埋め材が充填される。図５に示すように、パイプスペース１０を囲むように床下地構成体１００が設置されることによって床下地構造１が形成される。図６に示すように、床下地構造１における床パネル３の表面３２（上面）にフローリングやカーペットのような床仕上げ材１０１が設けられることによって、床スラブ１２Ａと、支持脚２と、床下地構成体１００と、床仕上げ材１０１とを備えた二重床が構成される。そして、図６；図２に示すように、壁下地としての間柱１０５の下端１０６がランナー７の開口７３からランナー７の内側に設置される。ランナー７の内側に設置された複数本の間柱１０５に掛け渡されるように区画壁下地ボード１０７が取付けられた後に、区画壁下地ボード１０７にクロスのような壁仕上げ材１０８が貼り付けられて区画壁１１０が形成される。尚、図２に示すように、床仕上げ材１０１の端面１１１と区画壁１１０の壁面とが離れるように施工された後に、区画壁１１０の壁面に巾木１１２が取付けられる。また、壁仕上げ材１０８は、戸境壁１１と間隔を隔てて位置される区画壁下地ボード１０７の端部１０９を覆うように設けられる。そして、この区画壁下地ボード１０７の端部１０９を覆う壁仕上げ材１０８と戸境壁１１との間、及び、戸境壁１１とランナー７の端部７４との間には、ロックフェルトのような緩衝材１２０が介在するように設けられる。この緩衝材１２０により、壁仕上げ材１０８と戸境壁１１との衝突音や擦れ音、戸境壁１１とランナー７の端部７４との衝突音や擦れ音の発生を防止できるとともに、パイプ１５から放射される音が室内１２１に漏れるのを防止できるので、防音性能を向上できる。また、床パネル３の収縮によって、区画壁下地ボード１０７の端部１０９を覆う壁仕上げ材１０８と戸境壁１１との間、戸境壁１１とランナー７の端部７４との間、床パネル３の側縁部３３の端面３４及び補強部４と隙間塞ぎボード５０の側端面５１との間の間隔が開いたとしても、緩衝材５２及び緩衝材１２０がその間隔を塞ぐように追従するので、パイプ１５から放射される音が室内１２１に漏れるのを防止できる。以上のように、最良の形態１では、壁施工よりも床施工を先に行う、所謂、床先行施工によって、パイプスペース１０及び床下地構造１を形成できる。
【００１５】
尚、現場にて、図８に示すように上側床パネル３９及びランナー７を備えていない床下地構成体２００を作成した後に、この床下地構成体２００の下側床パネル３８の上に上側床パネル３９を設けて、この上側床パネル３９の上にランナー７を取付けた図７に示すような床下地構成体１００を作成してもよい（図４；図５参照）。また、予め、工場などで作成した図７に示すような床下地構成体１００を現場に搬入して設置してもよい。
【００１６】
最良の形態１では、四角中空柱状の一方の面が戸境壁１１により囲まれて形成され、四角中空柱状の三方の面が補強部４、床パネル３、区画壁１１０により囲まれて形成された四角中空柱状のパイプスペース１０が形成される。
【００１７】
最良の形態１の床下地構成体１００によれば、補強部４を備えたので、パイプスペース１０の周囲に位置する床パネル３の側縁部３３の強度を上げるために際根太と呼ばれる部材を上部に備えた支持脚を用いずとも、パイプスペース１０の周囲に位置する床パネル３の側縁部３３の剛性をより高めることができ、床下地構造１の部材コストを安価にできる。また、ランナー７を床スラブ１２Ａに取付ける作業をなくすことができるので、施工コストを安価にできる。即ち、パイプスペース１０を区画する場合の床下地構造１の部材コスト及び施工コストを安価にできる。
さらに、床パネル３の側縁部３３の表面３２に壁下地取付部を備えたので、壁下地取付部を床スラブ１２Ａに取付ける作業をなくすことができて、壁下地取付部の取付作業を容易にできるので、施工コストを安価にできる。
【００１８】
また、床スラブ側緩衝部５を備えたので、床スラブ面１２の不陸を吸収でき、補強部４を床スラブ面１２で安定に支持できるとともに、補強部４の下端面４５と床スラブ面１２との衝突音の発生を防止できて、衝突音の階下への伝播を防止できるとともに、パイプスペース１０に設置されたパイプ１５から放射される音の床下空間９８への漏れを防止でき、防音性能を向上できる。
また、壁際緩衝部６を備えたので、戸境壁１１と補強部４の壁際端面４６及び床パネル３の壁際端面３６との衝突音や擦れ音の発生を防止できて、隣戸への音の伝播を防止できるとともに、パイプ１５から放射される音の床下空間９８への漏れを防止できるので、防音性能を向上できる。
緩衝材５２を設けたので、床パネル３の側縁部３３の端面３４及び補強部４と隙間塞ぎボード５０の側端面５１との衝突音や擦れ音の発生を防止できるとともに、パイプ１５から放射される音の床下空間９８への漏れを防止できるので、防音性能を向上できる。
緩衝材１２０を設けたので、壁仕上げ材１０８と戸境壁１１との衝突音や擦れ音、戸境壁１１とランナー７の端部７４との衝突音や擦れ音の発生を防止できるとともに、パイプ１５から放射される音の室内１２１への漏れを防止できるので、防音性能を向上できる。
【００１９】
また、最良の形態１の床下地構成体１００を用いることによって、床先行施工で、パイプスペース１０及び床下地構造１を形成でき、床を先に形成できるので、工事を安全に行える。
壁先行施工の場合、区画壁１１０の壁面と床パネル３の端面との衝突音や擦れ音を防止するため、区画壁１１０の壁面と床パネル３の端面とを離すように施工する必要があるので、施工が煩雑となり、また、区画壁１１０の壁面の出入に合わせて床パネル３の端面を切り欠いたりすることが多くなって床パネル３の廃材が多くなり、コスト高となる。
一方、床先行施工の場合は、床下地構造１の上に壁を施工すればよいので、施工が容易となる。また、床先行施工の場合は、床スラブ面１２と床パネル３との間の寸法分だけ間柱１０５の長さ寸法を短くできるので、材料費を安くできるという効果も得られる。
【００２０】
最良の形態２
図８に示すような、上側床パネル３９及びランナー７を備えていない床下地構成体２００を用いてもよい。この場合、間柱１０５の下端１０６が位置決めされる壁下地位置決め部としての垂木や桟を、下側床パネル３８の側縁部３３の端面３４に沿って延長してパイプスペース１０を囲むように下側床パネル３８の側縁部３３の表面３２（上面）に設ければよい。
【産業上の利用可能性】
【００２１】
設備設置部としてのユニットバス設置部も床下地構成材を用いて同様に構成できる。
床パネル３や補強部４は、硬質ハードボード（石膏ボード）、木毛セメント板、ケイ酸カルシウム板、樹脂、金属、木質繊維板、中密度繊維板（MDF (medium density fiberboard)）、木質系建材、断熱性建材などにより形成されたものを用いてもよい。
床スラブ側緩衝部５や壁際緩衝部６は、グラスウール、不織布、ゴム、発泡剤（ポリウレタン）などにより形成されたものを用いてもよい。
設備設置部の周囲の全部を取り囲むような床下地構成材も同様に形成できる。
【図面の簡単な説明】
【００２２】
【図１】パイプスペースと床下地構造とを示す断面図（最良の形態１）。
【図２】パイプスペースと二重床とを示す断面図（最良の形態１）。
【図３】パイプスペース回りの床下地構造の施工図（最良の形態１）。
【図４】パイプスペース回りの床下地構造の施工図（最良の形態１）。
【図５】パイプスペース回りの床下地構造の施工図（最良の形態１）。
【図６】パイプスペース回りの床下地構造の施工図（最良の形態１）。
【図７】床下地構成体を示す斜視図（最良の形態１）。
【図８】床下地構成体を示す斜視図（最良の形態１；２）。
【符号の説明】
【００２３】
３  床パネル、４  補強部、５  床スラブ側緩衝部、
７  ランナー（壁下地取付部）、１０  パイプスペース（設備設置部）、
１２  床スラブ面、３１  裏面、３２  表面、３３  側縁部、３４  端面、
４５  下端面、１００；２００  床下地構成体。
【図１】
0005290622.tif 000002
【図２】
0005290622.tif 000003
【図３】
0005290622.tif 000004
【図４】
0005290622.tif 000005
【図５】
0005290622.tif 000006
【図６】
0005290622.tif 000007
【図７】
0005290622.tif 000008
【図８】
0005290622.tif 000009